(57)【要約】【課題】幅について異なる制限のある輸送手段間で，搭載可能なコンテナシステムを提供する。【解決手段】横幅ωをもつ一方の輸送手段と，横幅ωより長い横幅Ｗをもつ他方の輸送手段の両方に搭載可能なコンテナシステムであって，横幅ωを，横幅の最大限とする横幅をもつベースプレートと，ベースプレートの中心を通る縦軸線上で，ベースプレートに回転可能に取り付けられる第一のコンテナとを含む。第一のコンテナは，頂部面と，底部面と，互いに向かい合う一方の側面と，互いに向かい合う他方の側面とからなる直方体であり，第一のコンテナの一方の側面の幅は横幅ωと同じであり，第一のコンテナの他方の側面の幅は横幅Ｗと同じであり，ベースプレートには，その表面にそって，ベアリング組立体が装着される溝が形成される。【選択図】  図１７
2004345693.tif 000002
【特許請求の範囲】
【請求項１】
横幅ωをもつ一方の輸送手段と，前記横幅ωより長い横幅Ｗをもつ他方の輸送手段の両方に搭載可能なコンテナシステムであって，
前記横幅ωを，横幅の最大限とする横幅をもつベースプレートと，
前記ベースプレートの中心を通る縦軸線上で，前記ベースプレートに回転可能に取り付けられる第一のコンテナと，
を含み，
前記第一のコンテナは，頂部面と，底部面と，互いに向かい合う一方の側面と，互いに向かい合う他方の側面とからなる直方体であり，
前記第一のコンテナの一方の側面の幅は前記横幅ωと同じであり，
前記第一のコンテナの他方の側面の幅は前記横幅Ｗと同じであり，
前記ベースプレートには，その表面にそって，ベアリング組立体が装着される溝が形成され，
前記輸送手段の一方から他方に，当該コンテナシステムを積み替えるときに，前記ベアリング組立体を，前記ベースプレートの前記溝に装着し，輸送手段に整合するように，前記第一のコンテナを回転させる，
ところのコンテナシステム。
【請求項２】
前記溝は，前記ベースプレートの縦軸線を横切る方向に，前記ベースプレートの側面から延設され，
前記ベアリング組立体は，前記ベースプレートの前記側面から前記溝に装着できる，
請求項１に記載のコンテナシステム。
【請求項３】
前記溝は，前記ベースプレートを構成する枠材に形成される，請求項２に記載のコンテナシステム。
【請求項４】
前記ベアリング組立体は，前記第一のコンテナの前記底部面に接して支持するベアリング部と該ベアリング部を昇降させる昇降部を有し，
前記ベアリング組立体を前記ベースプレートの前記溝に装着した後に，前記昇降部を起動させることで，前記ベアリング部は前記第一のコンテナの前記底部面を下から支承する，
請求項１に記載のコンテナシステム。
【請求項５】
前記第一のコンテナの前記底部面の中心に設けられた主穴部と，前記ベースプレートの前記縦軸線上に設けられたセンターピンとの係合により，前記第一のコンテナと前記ベースプレートとが回転可能に取り付けられる，請求項１に記載のコンテナシステム。
【請求項６】
前記主穴部と前記センターピンとの係合の後，外れ防止のために，前記センターピンに外れ防止具が取り付けられる，請求項５に記載のコンテナシステム。
【請求項７】
前記第一のコンテナの前記底部面に設けられた穴部に嵌合して，前記第一のコンテナと前記ベースプレートとを固定させるための，緊締具が前記ベースプレートに設けられる，請求項１に記載のコンテナシステム。
【請求項８】
さらに，前記第一のコンテナと接して，前記ベースプレート上に搭載される，同じ大きさをもつ二つの第二のコンテナを含み，
前記各第二のコンテナは，頂部面と，底部面と，互いに向かい合う一方の側面と，互いに向かい合う他方の側面とからなる直方体であり，
前記各第二のコンテナの一方の側面の幅は前記横幅ωの二分の一であり，
前記各第二のコンテナの他方の側面の幅は前記横幅Ｗの二分の一である，
ところの請求項１に記載のコンテナシステム。
【請求項９】
前記第二のコンテナの前記底部面に設けられた穴部に嵌合して，前記第二のコンテナと前記ベースプレートを固定させるための，緊締具が，前記第一のコンテナが前記ベースプレート上で回転するのに支障を与えない前記ベースプレートの位置に設けられる，請求項１に記載のコンテナシステム。
【請求項１０】
前記一方の輸送手段はトラック輸送用の荷台であり，前記他方の輸送手段は，鉄道輸送用の貨車である，請求項１に記載のコンテナシステム。
【発明の詳細な説明】
【０００１】
【発明の属する技術分野】
本発明は，輸送手段に荷物を積載するためのコンテナシステムに関し，特に，コンテナシステムの幅について，異なる制限のある二つの輸送手段に搭載可能なコンテナシステムに関する。
【０００２】
【従来の技術および発明が解決しようとする課題】
荷物の輸送の形態には，所定の大きさのコンテナに荷物を収納し，それを鉄道手段，すなわち貨車に搭載して輸送を行う場合がある。また，そのコンテナをトラックの荷台（またはその逆に）に積み替えて輸送を行う場合もある。さらに，船舶にコンテナを搬入して（または船舶から，鉄道，トラックへ搬入して）輸送を行う場合がある。
【０００３】
これら輸送形態において，荷物をコンテナに収納し，コンテナごと搬送することから，輸送効率が高い。しかし，各輸送形態には，コンテナを配置するに際し，さまざまな規制，制限がある。
【０００４】
たとえば，図１（Ａ）に示されているような，トラックの荷台にコンテナを搭載する場合，トラック輸送の横幅について，種々の規制や制限があるために，この制限を超えるような幅をもつコンテナは荷台に搭載できない。
【０００５】
一方，一度に大量のコンテナを運ぶことができる鉄道を利用した輸送形態の場合，図１（Ｂ）に示されている貨車が利用されるが，この貨車は通常は非常に長く，いくつものコンテナを搭載できる。しかし，貨車の幅Ｗは，安全に鉄道同士がすれ違えるようにするため，あるいは安全にトンネルを通過できるようにするために制限はあるものの，通常トラックの幅はωより広い。
【０００６】
そのために，トラック用のコンテナを単に貨車に搭載したのでは，貨車上に多くの利用されない空間が生じる。逆に，貨車用のコンテナは幅が広く，トラックの荷台に搭載できない。
【０００７】
したがって，各輸送手段の幅について違いがあると，最小の幅をもつコンテナでしか，相互に利用です，最小の幅のコンテナでは有効に幅の広い輸送手段の有効利用ができない。
【０００８】
このような各輸送手段の幅について違いあっても，有効かつ相互に利用できるコンテナシステムが開発され，本出願人により出願された（特願２００２−３６９４９２（出願日：平成１４年１２月２０日））。
【０００９】
この出願の開示された，横幅がＷの輸送手段（たとえば，鉄道輸送）と，横幅ωの輸送手段（たとえば，トラック輸送）との間で，相互利用できるコンテナシステムが図２に示されている。図２（Ａ）はコンテナシステムの斜視図であり，図２（Ｂ）はコンテナシステムの平面図である。
【００１０】
図２に示されているように，ベースプレート２上に大型の第一のコンテナＡと二つの小型の第二のコンテナＢが配置されている。
【００１１】
ベースプレートは，幅の狭い輸送手段の幅ωと同じ幅を有する。コンテナＡは，ωの幅をもつ一方の側面（ｓ１およびｓ２）と，幅の広い輸送手段の幅Ｗと同じ幅をもつ他方の側面（Ｓ１およびＳ２）を有し，各コンテナＢは，ω／２の幅をもつ一方の側面（ｓ１’およびｓ２’）とＷ／２の幅をもつ他方の側面（Ｓ１’およびＳ２’）を有する。さらにコンテナＡは，図３に示されていように，ベースプレート２の中心を通過する縦軸線（横幅方向に対して垂直な方向の軸線）上に，回転装置３を介して，ベースプレート２に回転可能に取り付けられている。回転装置３は，図３（Ｂ）に示されているように，コンテナＡの底部に固定された円形凸部４とベアリング５を介し，この円形凸部４を回転可能に収納し，ベースプレート２に固定された円形凹部６とからなる。
【００１２】
図４（Ｂ）に示されているように（図２（Ｂ）に示されているのと同じ），各コンテナの一方の側面（ｓ１およびｓ２，ｓ１’およびｓ２’）がベースプレート２の縦軸線に平行となるように，三つのコンテナを配置すると，幅がＷのコンテナの組み合わせができ，これを図４（Ａ）に示されているように，幅がＷの貨車に搭載すると，貨車の上の空間を無駄なく利用することができる。次に，図５（Ａ）に示されているように，二つのコンテナＢを外し，図３（Ａ）に示されているように，コンテナＡを９０°回転させ，また二つのコンテナＢも９０°回転させて（図５（Ｂ）），すなわち三つのコンテナの他方の側面（Ｓ１およびＳ２，Ｓ１’およびＳ２’）をベースプレート２の縦軸線方向に平行となるように配置すると（図５（Ｃ）），幅がωのコンテナの組み合わせができ（図６（Ｂ）），これを図６（Ａ）に示されているように，幅がωのトラックの荷台に搭載することができる。かくして，このコンテナシステムは，幅が異なる輸送手段に，有効かつ相互に利用することができる。
【００１３】
このように，一つの輸送手段の幅および他の輸送手段の幅を，それぞれ，コンテナの一方の側面の幅および他方の側面の幅とするコンテナをベースプレートに回転自在に取り付けることで，一つのコンテナを両方の輸送手段に利用することができる。
【００１４】
しかし，コンテナの回転は，一方の輸送手段から他方の輸送手段に積み替えるときのみ行われ，一旦輸送手段に搭載され，所定の目的にへと輸送されるときは，コンテナを回転させることはない。また，コンテナは内部に荷物を積載した状態で回転させることから，回転装置は剛性を必要とする。一方，回転装置の剛性を高めると，回転装置はより大きくなり，コンテナ内の有効利用空間が減少することになる。
【００１５】
そこで，本発明は，かかる課題を解決するためになされたものであり，異なる幅をもつ輸送手段間で相互に利用できるコンテナシステムにおいて，輸送手段の一方から他方に積み替えに際し，輸送手段の幅に整合するように，コンテナを回転することができるコンテナシステムを提供することを目的とする。
【００１６】
さらに，本発明の他の目的は，一方の輸送手段用から他方への輸送手段用に容易に変更のできる上記コンテナシステムを提供することである。
【００１７】
【課題を解決するための手段】
本発明のコンテナシステムは，横幅ωをもつ一方の輸送手段と，横幅ωより長い横幅Ｗをもつ他方の輸送手段の両方に搭載可能なコンテナシステムで，横幅ωを，横幅の最大限とする横幅をもつベースプレートと，ベースプレートの中心を通る縦軸線上で，ベースプレートに回転可能に取り付けられる第一のコンテナとを含む。
【００１８】
ここで，第一のコンテナは，頂部面と，底部面と，互いに向かい合う一方の側面と，互いに向かい合う他方の側面とからなる直方体である。第一のコンテナの一方の側面の幅は横幅ωと同じであり，第一のコンテナの他方の側面の幅は横幅Ｗと同じである。
【００１９】
ベースプレートには，その表面にそって，ベアリング組立体が装着される溝が形成される。
【００２０】
当該コンテナシステムを輸送手段の一方から他方に積み替えるときに，ベアリング組立体をベースプレートの溝に装着し，輸送手段に整合するように，第一のコンテナを回転させる。
【００２１】
ベースプレートの溝は，ベースプレートの縦軸線を横切る方向に，ベースプレートの側面から延設されることが望ましい。これにより，ベアリング組立体は，ベースプレートの側面から溝に装着できる。また，上記溝は，ベースプレートを構成する枠材に形成されることが望ましい。
【００２２】
ベアリング組立体は，好適に，第一のコンテナの底部面に接して支持するベアリング部と該ベアリング部を昇降させる昇降部を有する。ベアリング組立体をベースプレートの溝に装着した後に，昇降部を起動させることで，ベアリング部は第一のコンテナの底部面を下から支承する。
【００２３】
第一のコンテナとベースプレートとは，好適に，第一のコンテナの底部面の中心に設けられた主穴部と，ベースプレートの縦軸線上に設けられたセンターピンとの係合により，回転可能に取り付けられる。主穴部とセンターピンとの係合の後，外れ防止のために，センターピンに外れ防止具が取り付けられることが望ましい。
【００２４】
第一のコンテナの底部面に設けられた穴部に嵌合して，第一のコンテナとベースプレートとを固定させるための，緊締具がベースプレートに設けられることが望ましい。
【００２５】
さらに，本コンテナシステムは，第一のコンテナと接して，ベースプレート上に搭載される，同じ大きさをもつ二つの第二のコンテナを含むことができる。各第二のコンテナは，頂部面と，底部面と，互いに向かい合う一方の側面と，互いに向かい合う他方の側面とからなる直方体であり，各第二のコンテナの一方の側面の幅は横幅ωの二分の一であり，各第二のコンテナの他方の側面の幅は横幅Ｗの二分の一である。
【００２６】
第二のコンテナの底部面に設けられた穴部に嵌合して，第二のコンテナとベースプレートを固定させるための緊締具が設けられることが望ましいが，第一のコンテナの，ベースプレート上での回転に支障を与えないベースプレートの位置に設けられる。
【００２７】
【発明の実施の態様】
本発明のコンテナシステムを構成する，ベースプレート，第一のコンテナおよび第二のコンテナは，上記の出願に開示されてものと同様である。
【００２８】
すなわち，図７（Ａ）に示されているように，第一のコンテナＡは，頂部面２１，底部面２２，互いに向かい合う一方の側面２３，２４，互いに向かい合う他方の側面２５，２６からなる直方体で，一方の側面２３，２４の幅は，横幅の狭い輸送手段（図１を参照）の幅ωと同じであり，他方の側面２５，２６は横幅の広い輸送手段（図２を参照）の幅Ｗと同じである。同様に，図８（Ａ）に示されているように，第二のコンテナＢは，頂部面３１，底部面３２，互いに向かい合う一方の側面３３，３４，互いに向かい合う他方の側面３５，３６からなる直方体で，一方の側面３３，３４の幅はω／２であり，他方の側面３５，３６の幅はＷ／２である。これらコンテナの底部面には，フォークリフトによる搬送のための挿入口が設けてもよい。
【００２９】
ベースプレート４０の幅も，図９に示されているように，幅の狭い輸送手段の幅と一致させるか，またはそれ以下とする。ペースプレートは，コンテナを支持できる剛性および軽量化の観点から，（もちろん限定的ではないが）複数の枠材を縦横に組み合わせて構成されている。
【００３０】
ベースプレート４０の縦軸線（中心をとおり横幅方向に垂直な軸線）（図９では破線により示されている）上に，以下で詳説するが，センターピン４１が設けられ，これが以下で説明するコンテナＡの底部面の設けられた主穴部内に挿入され，コンテナＡの回転中心となる。
【００３１】
ベースプレート４０の横枠材（縦軸線を横切る方向の枠材）にそって，そのセンターピン４１を避けるようして四つの溝４２ａ，４２ｂ，４２ｃ，４２ｄが片方の側面から延設されている。これら溝は，コンテナＡを，センターピン４１を中心に回転させる際に，コンテナＡの底部面を下から回転自在に支持するベアリング組立体５０（図１０（Ａ））を装着するためのものである。この例では，溝は枠材に設けているために，四つとも平行になっているが，これに限定されず，四つの溝をたとえば，菱形になるように形成してもよい。また一方の側面から延設されているが，両側かれ延設されてもよい。
【００３２】
図１０（Ａ）に示されているように，ベアリング組立体５０は，細長く伸長し，ペースプレート２の溝に装着できる形状をもつ。その表面にそって複数個のベアリング部５１が設けられている。ベアリング組立体５０の縦断面が図１１に示されている。この図によく示されているように，ベアリング組立体５０は，略Ｕ字形の伸長したフレーム５２内にベアリング体５１が上下移動可能に収容されている。このベアリング体５１は，フレーム５２内に配置された昇降体５３上に位置している。昇降体５３は，弾性中空体からなり，中に空気が導入されると膨張して，その上のベアリング体５１を押し上げ，空気が抜かれると，その上のベアリング体５１を下げる。
【００３３】
ベアリング体５１は，ボール５４をどの方向にも回転自在に支持するベアリング支持部５５を保持するＵ字枠材５６とからなる。
【００３４】
ベアリング組立体５０は，ベースプレート４０の溝内に装着されるが，通常，ベースプレート４０は，トラックの荷台，貨車の上に配置されていることから，その装着を容易にするため，そして，昇降体５３への空気の挿入，排気のための装置を含む，ベアリング装着機構５７が利用される（図１０（Ｂ））。図１２に示されているように，ベアリング組立体５０は，ベアリング装着機構５７の昇降プレート５８に設けられたローラ上に配置され，所定に位置に上昇した昇降プレート５８から，ベースプレート４０の溝内に，側面から挿入されて，装着される。
【００３５】
図１３（Ａ）は，ベースプレート４０に設けられたセンターピン１の拡大図側面図を示す。このセンターピン４１がコンテナＡの底部面２２の設けられた穴部２２ａ内に位置するように，コンテナＡがベースプレート４０上に配置されると，センターピン４２は，コンテナＡの回転中心となることができる。前記したベアリング組立体５０がベースプレート４０の溝に装着されないかぎり，重量のあるコンテナはベースプレート４０上で移動しないが，トラックや貨車の走行の振動などで，センターピン４１が穴部２２ａから外れかねない。このような外れを防止するために，コンテナＡの内部において，穴部２２ａを蓋する蓋プレート２２ｂ（図７（Ｂ））を外し，穴部２２ａ内に位置するセンターピン４１にワッシャー４５を配置し，センターピン４１に設けられた切り欠き部にプレート４６を嵌合し，ネジでプレート４６をワッシャー４５に取り付ける。これにより，走行の振動などが生じても，ワッシャー４５が，開口部２２ａの片部２２ａ’に係合し，センターピン４１は外れなくなる。通常は，開口部２２ａは，蓋プレート２２ｂのより塞がれることから，コンテナ内での作業に支障はきたさない。
【００３６】
プレート４６，ワッシャー４５を取り除くと，コンテナとベースプレートとの取り付けは解除される。
【００３７】
センターピン４１により，コンテナＡは，ベースプレート４０上に回転可能に取り付けられるが，走行時の事故防止のために，コンテナＡをベースプレート４０に固定する必要がある。図１４（Ａ）は，従来より知られた緊締具６０の正面図である。この緊締具６０は図９に示されているように，ベースプレート４０に二つ設けられているが，操作が容易となるように，ベースプレート４０の縁に位置する。
【００３８】
この緊締具６０に対応して，図７（Ｂ）に示されているように，矩形の穴２２ｃがコンテナＡの底部面の下側に設けられている。上記したように，コンテナＡは，センターピン４１を中心に９０°回転させることから，回転した後も緊締できるように，穴は四つ設けられている。
【００３９】
緊締具６０は，上下に昇降可能な緊締片６１有し，この緊締片６１は横断面が矩形となり，さらに，昇降可能な係合片６２を有する。通常は，緊締片６１と係合片６２は一体となって昇降する。コンテナＡを緊締する必要がないときは，緊締片６１，係合片６２は，ベースプレート４０の表面より下方に位置する。
【００４０】
図１４（Ｂ）に示されているように（この図では，緊締具の側面図となっている），ベースプレート４０上に，コンテナＡが，穴２２ｃと緊締片６１とが整合するように配置されると，緊締片６１と係合片６２とを一体にして上昇させる。底部面２２の穴２２ｃも矩形であり，したがって，緊締片６１と係合片６２とは穴を通過する。さらに，係合片６２を上昇させて９０°回転させる。この状態で係合片６２を下降させると，係合片６２は，横向きとなり，底部面２２の穴２２ｃの縁と係合して，コンテナＡを緊締することができる。緊締を解除するときは上記操作を逆にする。
【００４１】
コンテナＡと同様にコンテナＢもベースプレート４０に固定する必要がある。図１５は，コンテナＢ用の緊締具６５の側面図を示す。小型のコンテナＢは，大型のコンテナＡと異なり，ベースプレート４０上で回転させて再配置しないことから，係合部６６は常時，ベースプレート４０の表面から突き出ていてもよい。この係合部６６も横断面が矩形となり，したがって，９０°回転させると，図１５に破線で示されているように，張り出し部（６６’）が現れる。
【００４２】
コンテナＢは，ベースプレート４０上で，二つ配置されることから，ベースプレート４０にコンテナＢのそれぞれに二つとなるように四つ設けられている。これらの緊締具の位置は，コンテナＡがセンターピンを中心に回転しても，その回転が妨げられないところにする必要がある。
【００４３】
コンテナＢの底部面の裏面には，二つの緊締具６５に対応し，かつコンテナＢが９０°向きを変えても固定できるように四つの矩形の穴３２ｃが設けられている。
【００４４】
コンテナＢが，ベースプレート４０上の所定の位置に配置され，係合部６６が９０°回転すると，係合片６６の張り出し部６６’は穴３２ｃの片部と係合することができる。
【００４５】
緊締具６５は，上記にように，配置場所が限定され，必ずしもベースプレート４０の縁とはならず，そのため，係合部６６を９０°回転させるための機構を設けると便利になる。図１６は，この回転機構７０を示す。
【００４６】
回転機構７０は，ベースプレート４０の表面にそって，配置されるＵ字形（ただし，一方が非常にながい形状）の枠材７１の先端に，二つのリンクａおよびｂを介して，緊締具６５の軸部６７に連結され，Ｕ字枠材７１を，ベースプレート２の表面にそってスライドさせることで，軸部６７，すなわち係合部６６を９０°回転させることができるものである。
【００４７】
上記した各緊締具６０，６５により，コンテナＡおよびコンテナＢは，ベースプレート４０上に固定され，またはその固定が解除される。
【００４８】
図１７を参照して，横幅が異なる輸送手段，すなわち貨車からトラックの荷台に（またはその逆に），コンテナシステムを積み替えて搭載する手順を説明する。
【００４９】
図１７（Ａ）に示されているように，一つのコンテナＡと二つのコンテナＢをベースプレート４０上に，横幅が貨車の横幅Ｗとなるように，配置し，二つの緊締具により固定されたコンテナシステム（図２を参照）が貨車に搭載されているとする。このコンテナシステムを，フォークリフトにより，トラックの荷台に配置する（図１７（Ｂ））。このとき，ベースプレート４０の横幅は，車両の横幅と同じωである。
【００５０】
次に，回転機構７０により，まず緊締具６５によるコンテナＢの緊締を解除してから，フォークリフトによりコンテナＢをベースプレート４０より降ろす（図１７（Ｃ））。図１２に示されているように，ベアリング組立体５０を搭載したベアリング装着機構５７を荷台に近くに配置して，ベアリング組立体５０がベースプレート４０の側面から溝内に装着できるように高さを調節する。ベアリング組立体５０がベースプレート４０の溝４２に装着すると，昇降体５３に空気が導入され，ベアリング体５１を上昇させる。さらに，上昇することで，コンテナＡの底面部２２はベアリング体５１のボール５４により支持される。ボール５４はあらゆる方向に回転可能であることから，コンテナＡはセンターピン４１を中心に容易に回転可能となっている（図１７（Ｄ））。
【００５１】
コンテナＡを９０°回転させ，そしてベアリング体５０の昇降体５３内の空気を排出させる。これにより，ベアリング体５１は下降し，コンテナＡはベースプレート４０上に直接位置する。ベアリング装着機構５７上へとベアリング組立体５０をベースプレート４０の溝から外すとともに，９０°回転し，横幅がωとなったコンテナＡを，緊締具６０により，ベースプレート４０に固定する（図１７（（Ｅ））。
【００５２】
９０°向きを変えたコンテナＢを，さらに，フォークリフトにより，ベースプレート４０上に配置する（図１７（Ｆ））。他のコンテナＢも同様に配置する（図１７（Ｇ））。緊締具６５により二つのコンテナＢがベースプレート４０上に固定され，横幅ωのコンテナシステムとなる（図１７（Ｈ））。かくして，横幅がωとなったコンテナシステムが，横幅がωのトラックの荷台の上に搭載される。
【００５３】
本発明のコンテナシステムをトラックの荷台から貨車へと積み替えて，搭載するときは，上記手順を逆に行う。
【００５４】
なお，本発明を説明するために，横幅という用語を使用したが，これは横方向にのみ限定することを意味するのではなく，制限がある一つの方向の幅と理解されるべきである。
【００５５】
【効果】
上記説明したように，本発明のコンテナシステムは，幅について異なる制限のある輸送手段間で，コンテナ自体を搭載可能とし，したがって，幅について異なる制限のある輸送手段ごとにコンテナを替えて，荷物を積み替える必要がなく，効率的な輸送を行うことができる。
【００５６】
また，本発明のコンテナシステムは，大型のコンテナを回転させる機構が，輸送手段の一方から他方に積み替えるところで，装着されるため，コンテナシステム自体の構造が簡易になり，その分軽量化を図ることができ，さらに，コンテナ内部空間を広くすることができる。
【図面の簡単な説明】
【図１】図１（Ａ）は従来のコンテナが荷台に搭載されたトラックの側面および背面を示し，図１（Ｂ）は従来のコンテナが搭載された鉄道輸送用の貨車の側面および背面を示す。
【図２】図２（Ａ）は，改良された先行技術のコンテナシステムの斜視図であり，図２（Ｂ）は改良された先行技術のコンテナシステムの平面図である。
【図３】図３（Ａ）は，図２のコンテナシステムにおけるコンテナの回転を示し，図３（Ｂ）はコンテナとベースプレートとを回転可能に連結する回転装置の断面図である。
【図４】図４（Ａ）は，横幅の広い輸送手段である鉄道用の貨車に，横幅をＷとした先行技術のコンテナシステムを搭載した状態の側面および背面を示し，図５（Ｂ）は図５（Ａ）のコンテナシステムの横断面図である。
【図５】図５（Ａ）は横幅をＷとした先行技術のコンテナシステムにおいて，二つの小型コンテナを外した状態を示し，図５（Ｂ）はさらに，コンテナを９０°回転させ，さらに外された小型コンテナも９０°回転させた状態を示し，図５（Ｃ）は，９０°回転させた小型コンテナをベースプレート上に配置し，横幅の狭い輸送手段の横幅ωと同じ横幅となった先行技術のコンテナシステムを示す。
【図６】図６（Ａ）は，横幅の狭い輸送手段であるトラックの荷台に，横幅をωとした先行技術のコンテナシステムを搭載した状態の側面および背面を示し，図６（Ｂ）は図６（Ａ）のコンテナシステムの横断面図である。
【図７】図７（Ａ）は本発明のコンテナシステムを構成する大型コンテナの斜視図を示し，図７（Ｂ）は図７（Ａ）の大型コンテナの横断面図である。
【図８】図８（Ａ）は本発明のコンテナシステムを構成する小型コンテナの斜視図を示し，図８（Ｂ）は図８（Ａ）の大型コンテナの横断面図である。
【図９】図９は本発明のコンテナシステムを構成するベースプレートの斜視図である。
【図１０】図１０（Ａ）は，本発明のコンテナシステムをベースプレートに装着するベアリング組立体の斜視図を示し，図１０（Ｂ）はベアリング組立体を，ベースプレートに装着し，起動するための，ベアリング装着機構の斜視図である。
【図１１】図１１は，ベアリング組立体の縦断面図である。
【図１２】図１２は，ベアリンク装着機構により，ベアリング組立体を，トラックの荷台に搭載されたコンテナシステムのベースプレートに装着する状態を示す。
【図１３】図１３（Ａ）はベースプレートに取り付けられたセンターピンの部分拡大側面図であり，図１３（Ｂ）はセンターピンの部分拡大平面図である。
【図１４】図１４（Ａ）はコンテナＡ用の緊締具の正面図であり，図１４（Ｂ）はベースプレートに組み付けられた緊締具によりコンテナＡを固定する状態を示す。
【図１５】図１５は，コンテナＢ用の緊締具の側面図である。
【図１６】図１６は，コンテナＢ用の緊締具を回転させる回転機構の平面図である。
【図１７】図１７は，本発明のコンテナシステムを貨車からトラックに荷台に積み替えて搭載する工程を示す。
【符号の説明】
Ａ    大型コンテナ
Ｂ    小型コンテナ
【図１】
2004345693.tif 000003
【図２】
2004345693.tif 000004
【図３】
2004345693.tif 000005
【図４】
2004345693.tif 000006
【図５】
2004345693.tif 000007
【図６】
2004345693.tif 000008
【図７】
2004345693.tif 000009
【図８】
2004345693.tif 000010
【図９】
2004345693.tif 000011
【図１０】
2004345693.tif 000012
【図１１】
2004345693.tif 000013
【図１２】
2004345693.tif 000014
【図１３】
2004345693.tif 000015
【図１４】
2004345693.tif 000016
【図１５】
2004345693.tif 000017
【図１６】
2004345693.tif 000018
【図１７】
2004345693.tif 000019
【手続補正書】
【提出日】平成15年9月24日(2003.9.24)
【手続補正１】
【補正対象書類名】明細書
【補正対象項目名】請求項９
【補正方法】変更
【補正の内容】
【請求項９】
前記第二のコンテナの前記底部面に設けられた穴部に嵌合して，前記第二のコンテナと前記ベースプレートを固定させるための緊締具が，前記第一のコンテナが前記ベースプレート上で回転するのに支障を与えない前記ベースプレートの位置に設けられる，請求項１に記載のコンテナシステム。
【手続補正２】
【補正対象書類名】明細書
【補正対象項目名】０００５
【補正方法】変更
【補正の内容】
【０００５】
一方，一度に大量のコンテナを運ぶことができる鉄道を利用した輸送形態の場合，図１（B）に示されている貨車が利用されるが，この貨車は通常は非常に長く，いくつものコンテナを搭載できる。しかし，貨車の幅Ｗは，安全に鉄道同士がすれ違えるようにするため，あるいは安全にトンネルを通過できるようにするために制限はあるものの，通常トラックの幅ωはより広い。


【手続補正３】
【補正対象書類名】明細書
【補正対象項目名】０００７
【補正方法】変更
【補正の内容】
【０００７】
したがって，各輸送手段の幅について違いがあると，最小の幅をもつコンテナでしか，相互に利用できず，最小の幅のコンテナでは有効に幅の広い輸送手段の有効利用ができない。


【手続補正４】
【補正対象書類名】明細書
【補正対象項目名】０００８
【補正方法】変更
【補正の内容】
【０００８】
このような各輸送手段の幅について違いがあっても，有効かつ相互に利用できるコンテナシステムが開発され，本出願人により出願された（特願2002-369492（出願日：平成14年12月20日））。


【手続補正５】
【補正対象書類名】明細書
【補正対象項目名】００１１
【補正方法】変更
【補正の内容】
【００１１】
ベースプレート2は，幅の狭い輸送手段の幅ωと同じ幅を有する。コンテナAは，ωの幅をもつ一方の側面（s1およびｓ2）と，幅の広い輸送手段の幅Wと同じ幅をもつ他方の側面（S1およびS2）を有し，各コンテナBは，ω/2の幅をもつ一方の側面（s1’およびｓ2’）とW/2の幅をもつ他方の側面（S1’およびS2’）を有する。さらにコンテナAは，図３に示されていように，ベースプレート2の中心を通過する縦軸線（横幅方向に対して垂直な方向の軸線）上に，回転装置3を介して，ベースプレート2に回転可能に取り付けられている。回転装置３は，図３（B）に示されているように，コンテナAの底部に固定された円形凸部4とベアリング5を介し，この円形凸部4を回転可能に収納し，ベースプレート2に固定された円形凹部6とからなる。


【手続補正６】
【補正対象書類名】明細書
【補正対象項目名】００１４
【補正方法】変更
【補正の内容】
【００１４】
しかし，コンテナの回転は，一方の輸送手段から他方の輸送手段に積み替えるときのみ行われ，一旦輸送手段に搭載され，所定の目的地へと輸送されるときは，コンテナを回転させることはない。また，コンテナは内部に荷物を積載した状態で回転させることから，回転装置は剛性を必要とする。一方，回転装置の剛性を高めると，回転装置はより大きくなり，コンテナ内の有効利用空間が減少することになる。


【手続補正７】
【補正対象書類名】明細書
【補正対象項目名】００２７
【補正方法】変更
【補正の内容】
【００２７】
【発明の実施の態様】
本発明のコンテナシステムを構成する，ベースプレート，第一のコンテナおよび第二のコンテナは，上記の出願に開示されたものと同様である。


【手続補正８】
【補正対象書類名】明細書
【補正対象項目名】００３１
【補正方法】変更
【補正の内容】
【００３１】
ベースプレート40の横枠材（縦軸線を横切る方向の枠材）にそって，そのセンターピン41を避けるようにして四つの溝42a，42b，42c，42dが片方の側面から延設されている。これら溝は，コンテナAを，センターピン41を中心に回転させる際に，コンテナAの底部面を下から回転自在に支持するベアリング組立体50（図１０（A））を装着するためのものである。この例では，溝は枠材に設けているために，四つとも平行になっているが，これに限定されず，四つの溝をたとえば，菱形になるように形成してもよい。また一方の側面から延設されているが，両側から延設されてもよい。


【手続補正９】
【補正対象書類名】明細書
【補正対象項目名】００４５
【補正方法】変更
【補正の内容】
【００４５】
緊締具65は，上記のように，配置場所が限定され，必ずしもベースプレート40の縁とはならず，そのため，係合部66を90°回転させるための機構を設けると便利になる。図１６は，この回転機構70を示す。




【手続補正書】
【提出日】平成15年9月24日(2003.9.24)
【手続補正１】
【補正対象書類名】図面
【補正対象項目名】全図
【補正方法】変更
【補正の内容】
【図１】
2004345693.tif 000020
【図２】
2004345693.tif 000021
【図３】
2004345693.tif 000022
【図４】
2004345693.tif 000023
【図５】
2004345693.tif 000024
【図６】
2004345693.tif 000025
【図７】
2004345693.tif 000026
【図８】
2004345693.tif 000027
【図９】
2004345693.tif 000028
【図１０】
2004345693.tif 000029
【図１１】
2004345693.tif 000030
【図１２】
2004345693.tif 000031
【図１３】
2004345693.tif 000032
【図１４】
2004345693.tif 000033
【図１５】
2004345693.tif 000034
【図１６】
2004345693.tif 000035
【図１７】
2004345693.tif 000036